(57)【要約】【課題】電子機器の取付け作業性を損わず、而もガタツキの発生がない様確実に電子機器を取付けられる電子機器の取付け構造を提供する。【解決手段】電子機器１に取付け金具２を固定し、該取付け金具の一端部と係合可能な固定金具１０を取付け面に固定し、前記取付け金具の少なくとも他端部にはテーパ部が形成され、前記一端部を前記固定金具に契合させ、前記他端部は前記テーパ部と契合する押え金具１７を介して取付け面に固定される。【選択図】        図１
2004179471.tif 000002
【特許請求の範囲】
【請求項１】
電子機器に取付け金具を固定し、該取付け金具の一端部と係合可能な固定金具を取付け面に固定し、前記取付け金具の少なくとも他端部にはテーパ部が形成され、前記一端部を前記固定金具に契合させ、前記他端部は前記テーパ部と契合する押え金具を介して取付け面に固定されることを特徴とする電子機器の取付け構造。
【発明の詳細な説明】
【０００１】
【発明の属する技術分野】
本発明は、壁面等に近接した場所に取付けられ、特に振動、衝撃が作用する場合の電子機器の取付け構造に関するものである。
【０００２】
【従来の技術】
船舶、シェルタ等の実装スペースが充分確保できない状態で電子機器を取付ける場合、電子機器は壁面に略密着した状態で取付けられる。その為、電子機器周囲、特に壁面側には着脱の為の作業スペースは無く、着脱作業は電子機器の取付け面に対峙する方向から行える様にする必要がある。
【０００３】
図５〜図７に於いて、従来の電子機器の取付け構造について説明する。
【０００４】
電子機器１に取付け金具２が取付けられ、床面３には固定金具１０が取付けられ、前記取付け金具２は一端部が前記固定金具１０に係合された状態で前記床面３に取付けられる。
【０００５】
前記取付け金具２は、金属平板を断面形状が凸形状となる様に、底部４を挾んで両幅端部を直角に折曲げ壁部５を形成し、更に外側に折曲げフランジ部６を形成したものである。前記壁部５の両端部は所要の角度（図示では４５°）に切落されテーパ部７が形成され、前記フランジ部６の両端部は前記テーパ部７の内側迄切除されている。前記取付け金具２の全長は、両端部が前記電子機器１より突出する長さとなっており、前記フランジ部６の長さは前記電子機器１から食出さない寸法となっている。
【０００６】
前記固定金具１０は断面が直角台形形状をしており、斜面１１は前記取付け金具２のテーパ部７と契合する角度となっている。
【０００７】
前記床面３との間で楔状の隙間１２が形成される様に、前記固定金具１０をボルト１３により前記床面３に取付ける。尚、一般的に前記固定金具１０は、前記取付け金具２を取付ける場合に、作業スペースが確保できない側に取付ける。図示の場合では、壁面１５に近接した側に前記固定金具１０が取付けられる。
【０００８】
前記取付け金具２の一端部を前記隙間１２に嵌入し、前記取付け金具２の一端部を前記固定金具１０に押付けた状態で、前記取付け金具２の他端部をボルト１４により前記床面３に固定する。
【０００９】
前記電子機器１は前記取付け金具２を介して前記床面３に取付けられ、又前記取付け金具２は前記固定金具１０との係合力、前記ボルト１４の締付け力により前記床面３に取付けられる。
【００１０】
【発明が解決しようとする課題】
上記した従来の電子機器の取付け構造に於いて、前記取付け金具２の一端部を固定する、該取付け金具２と前記固定金具１０との係合力は、前記取付け金具２を取付ける際の前記固定金具１０による押付け力に左右される。この為、前記ボルト１４により確実に固定した場合でも、前記電子機器１に振動、衝撃が作用すると、前記取付け金具２と前記固定金具１０間でガタツキが生じ、前記取付け金具２、即ち前記電子機器１ががたつく虞れがある。該電子機器１にガタツキが生じた場合、内部に実装された電子部品に悪影響を与える。
【００１１】
本発明は斯かる実情に鑑み、電子機器の取付け作業性を損わず、而もガタツキの発生がない様確実に電子機器を取付けられる電子機器の取付け構造を提供するものである。
【００１２】
【課題を解決するための手段】
本発明は、電子機器に取付け金具を固定し、該取付け金具の一端部と係合可能な固定金具を取付け面に固定し、前記取付け金具の少なくとも他端部にはテーパ部が形成され、前記一端部を前記固定金具に契合させ、前記他端部は前記テーパ部と契合する押え金具を介して取付け面に固定される電子機器の取付け構造に係るものである。
【００１３】
【発明の実施の形態】
以下、図面を参照しつつ本発明の実施の形態を説明する。
【００１４】
図１〜図４に於いて、図５〜図７中で示したものと同等のものには同符号を付し、その説明を省略する。
【００１５】
本実施の形態も上記従来と同様、電子機器１は取付け金具２を介して床面３に取付けられる。
【００１６】
該床面３との間で楔状の隙間１２が形成される様に、固定金具１０をボルト１３により前記床面３に取付ける。
【００１７】
前記取付け金具２の一端部を前記隙間１２に嵌入し、前記取付け金具２の一端部を前記固定金具１０に押付けた状態で、押え金具１７を介してボルト１４により前記取付け金具２の他端部を前記床面３に固定する。前記取付け金具２の他端部には前記ボルト１４が貫通するボルト長孔１９が穿設されている。
【００１８】
前記押え金具１７は図４に見られる様に、断面矩形形状の棒状部材の両端部に斜面部１８，１８を形成したものであり、該斜面部１８の角度は前記取付け金具２両端部のテーパ部７と同一となっている。又、前記押え金具１７の長さは、前記壁部５の外寸より充分大きく、前記斜面部１８，１８間の寸法は前記壁部５の内寸より小さくなっている。又、前記押え金具１７には前記ボルト長孔１９に対応するボルト孔２１が穿設されている。
【００１９】
前記押え金具１７を介在させ前記取付け金具２の他端部を固定すると、前記押え金具１７の斜面部１８が前記テーパ部７に当接する。前記ボルト１４を締込むと、楔効果により前記取付け金具２を前記固定金具１０の方へ押付ける分力２２が発生する。前記ボルト長孔１９は前記分力２２により前記取付け金具２が前記固定金具１０側に変位する充分な余裕を持っている。
【００２０】
而して、前記押え金具１７を介在させ、前記取付け金具２の他端部を固定することで、前記電子機器１はガタツキが抑止された状態で前記床面３に取付けられる。
【００２１】
尚、前記押え金具１７は両面に前記斜面部１８を形成したが、断面が直角３角形状の棒材としてもよい。又、前記電子機器１が軽量のものであると、前記押え金具１７を板材をＶ字状に折曲げたものとしてもよい。同様に前記固定金具１０をへの字状に屈曲成形した板材としてもよい。更に、前記電子機器１が重量物である場合は、前記取付け金具２を機械加工により製作してもよい。
【００２２】
尚、該取付け金具２は前記電子機器１に取付けられる形状であればよく、断面形状が凸形状である必要はない。
【００２３】
【発明の効果】
以上述べた如く本発明によれば、電子機器に取付け金具を固定し、該取付け金具の一端部と係合可能な固定金具を取付け面に固定し、前記取付け金具の少なくとも他端部にはテーパ部が形成され、前記一端部を前記固定金具に契合させ、前記他端部は前記テーパ部と契合する押え金具を介して取付け面に固定されるので、他端部には楔効果により前記取付け金具を前記固定金具に押圧する分力が発生し、ガタツキの発生なく確実に電子機器を取付けることができるという優れた効果を発揮する。
【図面の簡単な説明】
【図１】本発明の実施の形態を示す平面図である。
【図２】本発明の実施の形態を示す正面図である。
【図３】本発明の実施の形態を示す側面図である。
【図４】本発明の実施の形態に使用される押え金具の斜視図である。
【図５】従来例の平面図である。
【図６】従来例の正面図である。
【図７】従来例の側面図である。
【符号の説明】
１          電子機器
２          取付け金具
３          床面
７          テーパ部
１０        固定金具
１１        斜面
１２        隙間
１７        押え金具
１９        ボルト長孔
【図１】
2004179471.tif 000003
【図２】
2004179471.tif 000004
【図３】
2004179471.tif 000005
【図４】
2004179471.tif 000006
【図５】
2004179471.tif 000007
【図６】
2004179471.tif 000008
【図７】
2004179471.tif 000009